(57)【要約】【課題】小型化でき、かつ、電池パックを円滑に脱着できる携帯端末を提供する。【解決手段】携帯端末１０は、筐体１１内に設けられて互いに対向する第１壁面１３Ｂおよび第２壁面１３Ｃを有する電池収容部１３と、電池収容部１３に収容された状態で第１壁面１３Ｂに対面可能な第１端面１４Ｃを有する電池パック１４と、第１壁面１３Ｂおよび電池パック１４の第１端面１４Ｃとの間に介装される弾性部材１５とを備えている。弾性部材は、第１壁面１３Ｂにおける電池パック１４の挿脱方向手前側に突出されている。弾性部材の突出部で電池パック１４の第１端面１４Ｃを案内することにより電池パック１４を電池収容部１３に円滑に収容できる。【選択図】図１
2013143283.tif 000002
【特許請求の範囲】
【請求項１】
筐体と、
前記筐体の内部に設けられ、互いに対向する第１壁面および第２壁面を有する電池収容部と、
前記電池収容部に収容される電池パックと、
前記第１壁面と、前記電池パックにおける前記第１壁面と対面する第１端面との間に介装される弾性部材とを備え、
前記弾性部材が、前記第１壁面における前記電池パックの挿脱方向手前側に突出している携帯端末。
【請求項２】
請求項１に記載の携帯端末において、
前記第２壁面から突出する接触端子と、
前記電池パックにおける前記第１端面とは反対側の第２端面に設けられ、前記接触端子に接触可能な接触パッドとを有する携帯端末。
【発明の詳細な説明】
【技術分野】
【０００１】
本発明は、筐体の内部に電池収容部が設けられ、電池収容部に電池パックが収容される携帯端末に関する。
【背景技術】
【０００２】
携帯端末のなかには、筐体に電池収容部が形成され、電池収容部が電池蓋で覆われるように形成され、電池収容部に扁平直方体形状の電池パックが収容されるものがある（例えば、特許文献１）。
【０００３】
以下、一般的な携帯端末の電池収容部を図４、図５に基づいて説明する。
図４に示すように、携帯端末１００は、筐体１０１を構成するケース１０２に開口１０４が形成され、開口１０４に電池収容部１０３が形成されている。
電池収容部１０３は、開口１０４の縁部１０４Ａに連続する壁面１０３Ａにより枠体が形成されている。電池収容部１０３に電池パック１０６が収容され、開口１０４が電池蓋１０５で閉塞される。
【０００４】
通常、電池パック１０６が、図５に示すように、電池収容部１０３に対して斜めに挿入される。電池パック１０６が斜めに挿入されることにより、電池収容部１０３の壁面１０３Ａから突出する端子１０８に対して接触パッド１０７が接触される。端子１０８に接触パッド１０７が接触された状態で、電池パック１０６の反対側の面１０６Ａが電池収容部１０３に収容される。
【０００５】
この際、電池収容部１０３の壁面１０３Ａは、ケース１０２と一体成形された樹脂製であるため、電池パック１０６を電池収容部１０３に収容するにあたって適宜が撓むことが可能である。壁面１０３Ａを撓ませることにより電池収容部１０３に電池パック１０６を容易に収容できる。
【先行技術文献】
【特許文献】
【０００６】
【特許文献１】特開２００５−５００８号公報（段落０００９、段落００１０、図５）
【発明の概要】
【発明が解決しようとする課題】
【０００７】
ところで、筐体１０１を小型化するために電池収容部１０３の壁面１０３Ａの厚み寸法を小さくすることが要求されている。その方法として、筐体１０１に収容される金属製のシャーシの一部を切り起こして電池収容部の壁部とすることが考えられる。
しかし、金属製のシャーシの一部を切り起こして電池収容部１０３の壁部とした場合、筐体１０１を小型化することが可能であるが壁部が撓み難くなる。このため、電池収容部に対する電池パック１０６の脱着を円滑におこなうことが難しい。
【０００８】
本発明は、前述した課題を解決するためになされたものであり、その目的は、小型化でき、かつ、電池パックを円滑に脱着できる携帯端末を提供することにある。
【課題を解決するための手段】
【０００９】
本発明の携帯端末は、筐体と、前記筐体の内部に設けられ、互いに対向する第１壁面および第２壁面を有する電池収容部と、前記電池収容部に収容される電池パックと、前記第１壁面と、前記電池パックにおける前記第１壁面と対面する第１端面との間に介装される弾性部材とを備え、前記弾性部材が、前記第１壁面における前記電池パックの挿脱方向手前側に突出している。
【００１０】
電池パックの第１端面と第１壁面との間に弾性部材を介装し、弾性部材を第１壁面における電池パックの挿脱方向手前側に突出させた。
よって、電池パックを電池収容部に収容する際に、電池パックの挿脱方向手前側に突出させた弾性部材を電池収容部の外側に倒して、電池パックの第１壁面を電池収容部に向けて案内できる。
加えて、電池パックを電池収容部に収容する際に、電池パックの第１壁面で弾性部材を弾性変形（圧縮変形）させることにより電池パックを電池収容部に円滑に収容できる。
【００１１】
また、本発明の携帯端末は、前記第２壁面から突出する接触端子と、前記電池パックにおける前記第１端面とは反対側の第２端面に設けられ、前記接触端子に接触可能な接触パッドとを有する。
【００１２】
第１壁面に対向する第２壁面から接触端子を突出させ、第１端面とは反対側の第２端面に接触パッドを設けた。
これにより、第１壁面および第１端面間に介装した弾性部材の弾撥力で第２端面の接触パッドを第２壁面の接触端子に好適に押し付けて、接触パッドを接触端子に確実に接続できる。
【発明の効果】
【００１３】
本発明の携帯端末によれば、電池パックの第１端面と第１壁面との間に弾性部材を介装し、弾性部材を第１壁面における電池パックの挿脱方向手前側に突出させた。
弾性部材を突出させた部位を電池収容部の外側に倒して電池パックの第１壁面を電池収容部に向けて案内でき、弾性部材を弾性変形（圧縮変形）させて電池パックを電池収容部に円滑に収容できる。
【００１４】
このように、電池パックの第１端面と第１壁面との間に弾性部材を介装することにより、第１壁面および第２壁面を弾性変形させる必要がない。
これにより、電池収容部の第１壁面および第２壁面を金属製にできるので、第１壁面および第２壁面の厚み寸法を小さくして筐体を小型化できる。
【図面の簡単な説明】
【００１５】
【図１】本発明に係る携帯端末を裏面側から見た状態示す分解斜視図
【図２】本発明に係る携帯端末を示す断面図
【図３】（Ａ）は図２の電池収容部に電池パックの第２端面を斜めに差し込む例を示す断面図、（Ｂ）は図２の弾性部材の上端部を電池収容部の外側に倒して電池パックの第１端面を電池収容部に向けて移動する例を示す断面図、（Ｃ）は図２の電池パックを電池収容部に収容した状態を示す断面図
【図４】従来の携帯端末を一部断面の状態で示す斜視図
【図５】従来の電池収容部に電池パックを収容する例を示す断面図
【発明を実施するための形態】
【００１６】
以下、本発明の実施形態に係る携帯端末について図面を参照して説明する。
【００１７】
図１に示すように、携帯端末１０は、矩形箱状で筐体１１と、筐体１１に設けられたシャーシ１２と、シャーシ１２に設けられた電池収容部１３とを備えている。
さらに、携帯端末１０は、電池収容部１３に収容された電池パック１４と、電池パック１４および電池収容部１３間に介装された弾性部材１５と、電池収容部１３の内部に突出された接触端子１６（図３（Ａ）も参照）とを備えている。
シャーシ１２の筐体１１に対向する面１２Ａに回路基板（図示せず）が設けられ、この回路基板に接触端子１６が接続されている。また、シャーシ１２の面１２Ａの反対側に表示デバイスが設けられている。
【００１８】
筐体１１は、矩形箱状の裏面１１Ａ側が蒲鉾状に形成され、前記表示デバイス（図示せず）の反対側に設けられて携帯端末１０の裏部を構成する部位である。
シャーシ１２は、筐体１１の外周に沿って略矩形状に形成された金属製の板状部材である。このシャーシ１２のうち、筐体１１に対向する面１２Ａに電池収容部１３が一体に設けられている。
【００１９】
電池収容部１３は、シャーシ１２の一端１２Ｂ側に略矩形状に設けられた収容底部１３Ａと、収容底部１３Ａの四辺に設けられた第１壁面１３Ｂ、第２壁面１３Ｃ、第３壁面１３Ｄおよび第４壁面１３Ｅとを備えている。
この電池収容部１３は、収容底部１３Ａ、第１壁面１３Ｂ、第２壁面１３Ｃ、第３壁面１３Ｄおよび第４壁面１３Ｅで四角枠状に形成され、筐体１１の内部に配置可能である。
電池収容部１３が金属製のシャーシ１２に直接設けられることにより、電池収容部１３の剛性を十分に確保できる。
【００２０】
第１壁面１３Ｂは、シャーシ１２の一端が筐体１１に向けて折り曲げられた（切り起こされた）突片である。
第２壁面１３Ｃは、第１壁面１３Ｂに対面された状態でシャーシ１２の長手方向において略中央に設けられている。
図２に示すように、第２壁面１３Ｃの開口１８から電池収容部１３の内部に接触端子１６が突出されている。
接触端子１６は、シャーシ１２の筐体１１に対向する面１２Ａに設けられた回路基板（図示せず）に接続されている。
【００２１】
図１に示すように、第３壁面１３Ｄは、シャーシ１２の一方の側部１２Ｃに設けられている。
第４壁面１３Ｅは、第３壁面１３Ｄに対面された状態でシャーシ１２の他方の側部１２Ｄに設けられている。
【００２２】
電池収容部１３に電池パック１４が収容されている。
電池パック１４は、略矩形体状に形成され、パック下面１４Ａ（図２参照）、パック上面１４Ｂ、第１端面１４Ｃ（図２も参照）、第２端面１４Ｄ、第３端面１４Ｅ、第４端面１４Ｆを備えている。
【００２３】
図２に示すように、パック下面１４Ａは、略矩形状に形成されることにより、電池収容部１３の収容底部１３Ａに対面可能な面である。
パック上面１４Ｂは、略矩形状に形成されることにより、筐体１１の内面に対面可能な面である。
【００２４】
第１端面１４Ｃは、略長方形状に形成されることにより、電池収容部１３の第１壁面１３Ｂに対面可能な面である。
第２端面１４Ｄは、第１端面１４Ｃとは反対側に設けられ、略長方形状に形成されることにより、電池収容部１３の第２壁面１３Ｃに対面可能な面である。
この第２端面１４Ｄは、接触端子１６に接触可能な接触パッド２２を有する。
【００２５】
図１に示すように、第３端面１４Ｅは、略長方形状に形成されることにより、電池収容部１３の第３壁面１３Ｄに対面可能な面である。
第４端面１４Ｆは、第３端面１４Ｅとは反対側に設けられ、略長方形状に形成されることにより、電池収容部１３の第４壁面１３Ｅに対面可能な面である。
【００２６】
電池収容部１３の第１壁面１３Ｂには弾性部材１５が貼り付けられている。電池収容部１３の第１壁面１３Ｂは、電池パック１４の第１端面１４Ｃに対面する面である。
よって、図２に示すように、弾性部材１５は、電池収容部１３の第１壁面１３Ｂおよび電池パック１４の第１端面１４Ｃ間に圧縮された状態で介装されている。
この弾性部材１５は、第１壁面１３Ｂにおける電池パック１４の挿脱方向手前側に上端部１５Ａが突出されている。
【００２７】
よって、電池パック１４を電池収容部１３に収容する際に、弾性部材１５の上端部１５Ａを電池収容部１３の外側に倒して、電池パック１４の第１壁面１３Ｂを電池収容部１３に向けて案内できる。
さらに、電池パック１４を電池収容部１３に収容する際に、電池パック１４の第１壁面１３Ｂで弾性部材１５を弾性変形（圧縮変形）させることにより電池パック１４を電池収容部１３に円滑に収容できる。
【００２８】
次に、電池収容部１３に電池パック１４を収容する例を図３（Ａ）〜図３（Ｃ）に基づいて説明する。
図３（Ａ）に示すように、電池収容部１３に電池パック１４の第２端面１４Ｄを矢印Ａ方向に斜めに差し込む。第２端面１４Ｄを差し込むことにより、電池収容部１３の第２壁面１３Ｃに電池パック１４の第２端面１４Ｄを斜めに対面させる。
【００２９】
図３（Ｂ）に示すように、第２壁面１３Ｃに第２端面１４Ｄを斜めに対面させた状態で、弾性部材１５の上端部１５Ａを電池収容部の外側に矢印Ｂの如く倒す。
この状態で、電池パック１４の第１端面１４Ｃを弾性部材１５の上端部１５Ａに向けて矢印Ｃ方向に移動する。
このように、弾性部材１５の上端部１５Ａを電池収容部１３の外側に倒すことにより、電池パック１４の上端部１５Ａで電池パック１４の第１端面１４Ｃを電池収容部１３に向けて案内できる。
【００３０】
図３（Ｃ）に示すように、電池パック１４の第１端面１４Ｃが電池収容部１３の第１壁面１３Ｂに到達する。この状態で、第１端面１４Ｃを電池収容部１３に向けて矢印Ｃ方向に案内する際に、第１端面１４Ｃで弾性部材１５を第１壁面１３Ｂに向けて弾性変形（圧縮変形）する。
よって、第１端面１４Ｃを弾性部材１５（すなわち、第１壁面１３Ｂ）に沿って電池収容部１３に矢印Ｃの如く円滑に移動できる。
【００３１】
第１端面１４Ｃを矢印Ｃ方向に移動することにより、電池パック１４のパック下面１４Ａを電池収容部１３の収容底部１３Ａに接触する。
パック下面１４Ａを収容底部１３Ａに接触することにより、電池パック１４が電池収容部１３に収容される。
【００３２】
このように、電池パック１４の第１端面１４Ｃと第１壁面１３Ｂとの間に弾性部材１５を介装することにより、電池収容部１３の第１壁面１３Ｂおよび第２壁面１３Ｃを弾性変形させることなく、電池パック１４を電池収容部１３に収容できる。
これにより、電池収容部１３の第１壁面１３Ｂおよび第２壁面１３Ｃを金属製にできるので、第１壁面１３Ｂおよび第２壁面１３Ｃの厚み寸法を小さくして筐体１１を小型化できる。
加えて、電池収容部１３の第３壁面１３Ｄおよび第４壁面１３Ｅ（図１参照）も金属製にできるので、第３壁面１３Ｄおよび第４壁面１３Ｅの厚み寸法を小さくして筐体１１をさらに小型化できる。
【００３３】
ここで、電池収容部１３の第２壁面１３Ｃから接触端子１６（図３（Ａ）も参照）を電池収容部１３内に突出させ、電池パック１４の第２端面１４Ｄに接触パッド２２を設けた。
これにより、第１壁面１３Ｂおよび第１端面１４Ｃ間に介装した弾性部材１５の弾撥力で接触パッド２２を接触端子１６に好適に押し付けて、接触パッド２２が接触端子１６に確実に接続される。
【００３４】
さらに、弾性部材１５の弾撥力で電池収容部１３の第２壁面１３Ｃに電池パック１４の第２端面１４Ｄを確実に押し付けることができる。
これにより、電池収容部１３に電池パック１４を確実に固定できる。
加えて、電池収容部１３が金属製のシャーシ１２に直接設けられているので、電池パック１４をシャーシ１２に好適に取り付けることができる。
【００３５】
図２に示すように、電池収容部１３に電池パック１４を収容した後、弾性部材１５の上端部１５Ａを電池収容部１３の外側に倒し、倒した上端部１５Ａを筐体１１で上から押さえ付ける。
これにより、携帯端末１０の厚さ方向（矢印Ｄ）の寸法が増すことを抑えることができる。
【００３６】
なお、本発明に係る携帯端末は、前述した実施形態に限定されるものではなく適宜変更、改良等が可能である。
例えば、前記実施形態では、携帯端末１０に本発明を適用させた例について説明したが、これに限らないで、その他の電子機器の筐体に本発明を適用させることも可能である。
【００３７】
また、前記実施形態で使用した携帯端末、筐体、電池収容部、電池パック、弾性部材、接触端子および接触パッド等の形状や構成は例示したものに限定するものではなく適宜変更が可能である。
【産業上の利用可能性】
【００３８】
本発明は、筐体の内部に電池収容部が設けられ、電池収容部の壁面に電池パックの端面が対面された状態で電池収容部に電池パックが収容される携帯端末への適用に好適である。
【符号の説明】
【００３９】
１０  携帯端末
１１  筐体
１３  電池収容部
１３Ｂ  第１壁面
１３Ｃ  第２壁面
１４  電池パック
１４Ｃ  第１端面
１４Ｄ  第２端面
１５  弾性部材
１６  接触端子
２２  接触パッド
【図１】
2013143283.tif 000003
【図２】
2013143283.tif 000004
【図３】
2013143283.tif 000005
【図４】
2013143283.tif 000006
【図５】
2013143283.tif 000007